(57)【特許請求の範囲】
【請求項１】
地中に埋設されたピットに設ける排水管であって、
筒状の本体と、その本体の上部に外嵌された筒状のガイド部材と、そのガイド部材の上部内側に嵌め込まれ、上方内周に蓋部材を着脱可能なネジ溝を有した筒状のジョイント部材と、本体の内部に遊動自在に保持された比重が水より小さい止水球と、ジョイント部材内に保持され、排水孔を有して本体の上部において止水球を保持する上側保持部材と、排水孔を有して本体の下部において止水球を保持する下側保持部材と、止水球と接合して上側保持部材の排水孔を閉塞する止水用弾性部材とからなるピット用排水管。
【請求項２】
止水用弾性部材が、上側保持部材の排水孔に内接される筒状部と、その筒状部の片方の周縁に、筒状部と鈍角をなすように一体的に設けられたフランジ部とを有していることを特徴とする請求項１に記載のピット用排水管。
【請求項３】
本体の下端の開口部分を覆うように、フィルタが付設されていることを特徴とする請求項１、または２に記載のピット用排水管。
【発明の詳細な説明】
【０００１】
【発明の属する技術分野】
本発明は、地中に埋設されたピットに設ける排水管に関するものである。
【０００２】
【従来の技術】
地中に埋設された電気配線、水道管、ガス管等は、適宜間隔で設けられた接続ピットにおいて接続された状態になっており、その接続ピット内において、保守・点検作業が行われる。かかる接続ピットには、排水管が設けられており、内部に入り込んだ侵入水（雨水等）を、排水管から外部へ排水するようになっている。
【０００３】
【発明が解決しようとする課題】
しかしながら、上記した接続ピットは、周囲の地下水の水位が高い場合には、排水管から内部へ水や土砂等が入り込んで（すなわち、逆流して）、電気配線の保守・点検作業ができなくなる、という不具合がある。
【０００４】
本発明の目的は、上記接続ピットの如きピットにおける問題点を解消し、周囲の地下水の水位が高い場合でも、ピット内へ水や土砂等を入り込ませず、ピット内で作業ができなくなる事態を防止可能なピット用排水管を提供することにある。
【０００５】
【課題を解決するための手段】
かかる本発明の構成の内、請求項１に記載された発明の構成は、地中に埋設されたピットに設ける排水管であって、筒状の本体と、その本体の上部に外嵌された筒状のガイド部材と、そのガイド部材の上部内側に嵌め込まれ、上方内周に蓋部材を着脱可能なネジ溝を有した筒状のジョイント部材と、本体の内部に遊動自在に保持された比重が水より小さい止水球と、ジョイント部材内に保持され、排水孔を有して本体の上部において止水球を保持する上側保持部材と、排水孔を有して本体の下部において止水球を保持する下側保持部材と、止水球と接合して上側保持部材の排水孔を閉塞する止水用弾性部材とからなることにある。
請求項２に記載された発明の構成は、請求項１に記載された発明において、止水用弾性部材が、上側保持部材の排水孔に内接される筒状部と、その筒状部の片方の周縁に、筒状部と鈍角をなすように一体的に設けられたフランジ部とを有していることにある。
請求項３に記載された発明の構成は、請求項１，２に記載された発明において、本体の下端の開口部分を覆うように、フィルタが付設されていることにある。なお、ピットとは、電気配線、水道管、ガス管等を接続するための接続ピットや情報ボックス用ハンドボール、共同溝等の地中に掘設された種々の作業用の溝（坑）をいう。
【０００６】
【発明の実施の形態】
以下、本発明の接続ピット用排水管（以下、単に排水管という）の一実施形態を図面に基づいて詳細に説明する。
【０００７】
図１、図２は、排水管の断面を示したものであり、排水管１は、本体２、上側保持部材３ａ、下側保持部材３ｂ、止水用弾性部材５、ジョイント部材６、ガイド部材７が組み付けられることによって形成されている（なお、上側保持部材３ａと下側保持部材３ｂとは同一の形状である）。そして、本体２の内部に（上側保持部材３ａと下側保持部材３ｂとの間に）、止水球８が遊動自在に保持された状態になっている。
【０００８】
本体２は、硬質の合成樹脂（塩化ビニル）によって、円筒状に形成されている。また、上側保持部材３ａ（下側保持部材３ｂ）は、図３の如く、円筒部９の上端および下端に、それぞれ、上フランジ体１０、下フランジ体１１が、円筒部９と約１１０゜の角度をなすように一体的に延設された形状を有している（なお、円筒部９の内部は、排水孔１２になっている）。上フランジ体１１の外面には、複数（９本）の載置リブ１３，１３・・が、中心から周縁にかけて放射状に立設されており、それぞれ隣り合った載置リブ１３，１３同士の間が、排水路１４になっている。なお、上フランジ体１０の直径は、本体２の内径と略同一であり、下フランジ体１１の直径は、本体２の外径と略同一である。下側保持部材３ｂは、上フランジ体１０を本体２の下端の内側に嵌め込むことによって、本体２に取り付けられている。
【０００９】
一方、図４は、止水用弾性部材５を示したものであり、止水用弾性部材５は、硬質ゴムによって形成されている。そして、外径が上側保持部材３ａ（下側保持部材３ｂ）の排水孔１２の内径と略同一で扁平な筒状部１５の片方の周縁に、フランジ部１６が、筒状部１５と約１１０゜の角度をなすように、一体的に付設された形状を有している。止水用弾性部材５は、上側保持部材３ａの排水孔１２に筒状部１５を嵌入することにより、上側保持部材３ａの下フランジ体１１の外面にフランジ部１６の上面を当接させた状態で、上側保持部材３ａに取り付けられている。
【００１０】
また、図１、図２に示されるように、ガイド部材７は、硬質の合成樹脂（塩化ビニル）によって、内径が本体２の外径と略同一の大きさの円筒状に形成されている。また、その円筒状部分の略中央に、フランジ状の係止リブ２５が立設されており、円筒状部分の外周および内周に沿って外側および内側に突出した状態になっている。ガイド部材７は、本体２の上部の外側に外嵌されており、係止リブ２５の下面が本体２の上端面と当接した状態になっている。また、ガイド部材７の内部には、止水用弾性部材５を取り付けた上側保持部材３ａが嵌め込まれており、上側保持部材３ａの下フランジ体１１がガイド部材７の係止リブ２５の上面に当接した状態になっている。
【００１１】
一方、ジョイント部材６は、硬質の合成樹脂（塩化ビニル）によって、内径・外径が本体２の内径・外径と略同一な円筒状に形成されており、上方にネジ溝４が螺刻されている。ジョイント部材６は、ガイド部材７の上部の内側に嵌め込まれており、下端が、上側保持部材３ａの下フランジ体１１の上面に当接した状態になっている。
【００１２】
さらに、止水球８は、硬質の合成樹脂（塩化ビニル）によって、直径が上側保持部材３ａ（下側保持部材３ｂ）の排水孔１２の内径より大きな中空の球状に形成されている。そして、上側保持部材３ａおよび下側保持部材３ｂにせき止められた状態で、本体２の内部に遊動自在に保持されている。
【００１３】
かかる排水管１は、図５の如く、地面に掘設された接続ピット１７に設置されて使用される。接続ピット１７は、コンクリートによって形成された内壁１８の下面の略中央に、排水管１が貫設されている。また、内壁１８の下側に、モルタル２０が敷設されており、そのモルタル２０の下側に、砕石２１が敷きつめられている。一方、排水管１の下方に、硬質の合成樹脂（塩化ビニル）製の導水管２３が付設されている。なお、導水管２３には、複数の導水孔２６，２６・・が穿設されている。さらに、導水管２３の周囲に、単粒度砕石２２が敷設されている。加えて、接続ピット１７の上方には、蓋体１９が開閉自在に設けられている。
【００１４】
上記の如く接続ピット１７に設置された排水管１においては、周囲の地下水の水位が低い場合には、図６（ａ）の如く、接続ピット１７内に入り込んだ侵入水が、上側保持部材３ａの排水孔１２、本体２の内部、下側保持部材３ｂの排水孔１２を通って、外部へ排出される。また、かかる場合には、止水球８が、下側保持部材３ｂの上フランジ体１０に設けられた載置リブ１３，１３・・の上に載置された状態で、下側保持部材３ｂの排水孔１２の上方に位置するため、侵入水Ｗは、排水路１４，１４・・から排出される。一方、周囲の地下水の水位が高い場合には、図６（ｂ）の如く、下側保持部材３ｂの排水孔１２から本体２の内部へ地下水Ｗが入り込むが、止水球８が浮き上がり、止水用弾性部材５のフランジ部１６の下面と接合することによって（円周状に接合することによって）、上側保持部材３ａの排水孔１２が閉塞される。したがって、地下水Ｗが、排水管１から接続ピット１７内へ入り込む事態が生じない（すなわち、地下水Ｗが逆流する事態が生じない）。なお、排水管１は、接続ピット１７内の排水が不要な場合には、ジョイント部材６のネジ溝４を利用して、蓋部材（図示せず）を着脱自在に取り付けることができる。
【００１５】
排水管１は、上記の如く、筒状の本体２と、本体２の内部に遊動自在に保持される比重が水より小さい止水球８と、排水孔１２を有しており本体２の上部において止水球８を保持する上側保持部材３ａと、排水孔１２を有しており本体２の下部において止水球８を保持する下側保持部材３ｂと、止水球８と接合して上側保持部材３ａの排水孔１２を閉塞する止水用弾性部材５とからなるものであるため、接続ピット１７に設置された場合には、接続ピット１７内に入り込んだ侵入水Ｗを、効率良く、外部へ排出することができる。その上、周囲の地下水の水位が高い場合でも、止水球８が浮き上がって止水用弾性部材５と接合し、上側保持部材３ａの排水孔１２を閉塞することによって、地下水Ｗが接続ピット１７内に入り込む事態（地下水Ｗが逆流する事態）を防止することができる。
【００１６】
また、排水管１は、止水用弾性部材５が、上側保持部材３ａの排水孔１２に内接される筒状部１５と、その筒状部１５の片方の周縁に、筒状部１５と鈍角をなすように一体的に設けられたフランジ部１６とを有しているため、浮き上がった止水球８が止水用弾性部材５の中央に位置し易く、接続ピット１７内への地下水Ｗの逆流防止機能の精度が非常に高い。その上、止水用弾性部材５が劣化した場合や損傷した場合でも容易に交換することができる。
【００１７】
さらに、排水管１は、上側保持部材３ａと下側保持部材３ｂとが同一形状であり、異なる成形用金型を必要としないため、製造コストが安価である。加えて、排水管１は、全ての部品を、ネジ等を用いることなく単純に組み付けただけのものであるので、部品を持ち運べば、接続ピット１７の施工現場においても、簡単に組み立てることができるし、一部の部品が損傷した場合には、容易に交換することができる。
【００１８】
加えて、排水管１は、ガイド部材７に係止リブ２５が立設されており、ガイド部材７の円筒状部分の外周に沿って外側に突出した状態になっているため、コンクリート製の内壁１８から抜けにくく、その上、非常に止水性能が高い。
【００１９】
なお、本発明にかかる排水管の構成は、上記実施形態の態様に何ら限定されるものではなく、本体、上側保持部材、下側保持部材、止水用弾性部材、ジョイント部材、ガイド部材、止水球の形状・構造・材質等の構成を、本発明の趣旨を逸脱しない範囲で、必要に応じて適宜変更できる。
【００２０】
たとえば、排水管は、本体、上側保持部材、下側保持部材、止水用弾性部材、ジョイント部材、ガイド部材、止水球によって組み付けられるものに限定されず、ジョイント部材、ガイド部材が省略されており、上側保持部材が本体の上部に直接的に取り付けられたもの等でも良い。また、上側保持部材と下側保持部材とが同一形状であるものに限定されず、上側保持部材と下側保持部材とが異なる形状のものでも良い。加えて、本体と上側・下側保持部材が別個に設けられたものに限定されず、本体に、上側保持部材および／または下側保持部材が一体的に設けられたものでも良い。また、下側保持部材（上側保持部材）は、上記実施形態の如き複数のリブを設けたもの等に何ら限定されない。
【００２１】
さらに、図７の如く、本体の下端等の適宜位置に、不織布によって形成されたフィルタを取り付けることも可能である。かかる構成を採用した場合には、排水管は、本体内に土砂等が入り込まず、土砂等によって止水球と止水用弾性部材との接合が阻害されないため、長期間に亘って使用された場合でも、接続ピット内への雨水の逆流防止機能が低下しないものとなる。なお、フィルタとしては、不織布の他に、金属ネット等を用いることができるが、フィルタが不織布であると、細かい土砂も確実に遮断できるので好ましい。また、フィルタの設置位置は、本体の下側に限定されず、下側保持部材の上側に設けることも可能である。
【００２２】
一方、止水球は、見掛けの比重（嵩密度）が水より小さければ、中空状のものに限定されず、水より比重が小さい合成樹脂によって形成されたもの等でも良い。なお、止水球を、硬質の合成樹脂（たとえば、エボナイト等）によって内部が満たされた形状にした場合には、止水球が変形しにくいものとなり、止水球と止水用弾性部材との接合面積が小さくなる事態が生じないため、排水管は、長期間に亘って使用された場合でも、接続ピット内への地下水の逆流防止機能が低下したりしないものとなる。
【００２３】
加えて、止水用弾性部材は、筒状部にフランジ部を一体的に延設したものに限定されず、他の形状を有するものでも良い。また、止水用弾性部材を、筒状部にフランジ部を延設したものとする場合でも、筒状部とフランジ部とのなす角度は、何ら１１０゜に限定されない。しかしながら、筒状部とフランジ部とのなす角度を１００゜〜１２０゜の範囲内にした場合には、止水球とフランジ部との接合面積が大きくなり、接続ピット内への地下水の逆流防止機能の精度がきわめて高くなる、というメリットがある。
【００２４】
一方、排水管をピットに設置する態様も、上記実施形態の如き下方に導水管を付設する態様等に限定されず、必要に応じて適宜変更することができる。
【００２５】
【発明の効果】
請求項１に記載された排水管は、筒状の本体と、その本体の上部に外嵌された筒状のガイド部材と、そのガイド部材の上部内側に嵌め込まれ、上方内周に蓋部材を着脱可能なネジ溝を有した筒状のジョイント部材と、本体の内部に遊動自在に保持された比重が水より小さい止水球と、排水孔を有しており本体の上部において止水球を保持する上側保持部材と、排水孔を有しており本体の下部において止水球を保持する下側保持部材と、止水球と接合して上側保持部材の排水孔を閉塞する止水用弾性部材とからなるものであるため、接続ピットに設置された場合には、接続ピット内に入り込んだ侵入水を、効率良く、外部へ排出することができる。その上、周囲の地下水の水位が高い場合でも、止水球が浮き上がって止水用弾性部材と接合し上側保持部材の排水孔を閉塞することによって、接続ピット内に地下水が入り込む事態を防止することができる。
また、接続ピット内における排水が不要になった場合には、ジョイント部材に設けられたネジ溝に蓋部材を螺合することによって、排水管を完全に閉じることができる。
【００２６】
請求項２に記載された排水管は、止水用弾性部材が、上側保持部材の排水孔に内接される筒状部と、その筒状部の片方の周縁に、筒状部と鈍角をなすように一体的に設けられたフランジ部とを有しているため、浮き上がった止水球が止水用弾性部材の中央に位置し易く、接続ピット内への地下水の逆流防止機能の精度が非常に高い。その上、止水用弾性部材が劣化した場合や損傷した場合でも、容易に交換することができる。
【００２７】
請求項３に記載された排水管は、本体の下端の開口部分を覆うように、フィルタが付設されているため、本体内に土砂等が入り込まず、土砂等によって止水球と止水用弾性部材との接合が阻害されないため、長期間に亘って使用された場合でも、接続ピット内への地下水の逆流防止機能が低下したりしない。
【図面の簡単な説明】
【図１】排水管の断面の様子を示す説明図である。
【図２】排水管の断面の様子を示す説明図である。
【図３】下側保持部材を示す説明図である。
【図４】止水用弾性部材を示す説明図である。
【図５】排水管を接続ピットに設置した状態を示す説明図である。
【図６】排水管の使用状態を示す説明図である。
【図７】排水管の断面の様子を示す説明図である。
【符号の説明】
１・・排水管、２・・本体、３ａ・・上側保持部材、３ｂ・・下側保持部材、４・・ネジ溝、５・・止水用弾性部材、６・・ジョイント部材、７・・ガイド部材、８・・止水球、９・・円筒部、１０・・上フランジ体、１１・・下フランジ体、１２・・排水孔、１３・・載置リブ、１４・・排水路、１５・・筒状部、１６・・フランジ部、１７・・接続ピット、１８・・内壁、１９・・蓋体、２０・・モルタル、２１・・砕石、２２・・単粒度砕石、２３・・導水管、２４・・フィルタ、２５・・係止リブ、２６・・導水孔、Ｗ・・侵入水（地下水）。
【図１】
0004091210.tif 000002
【図２】
0004091210.tif 000003
【図３】
0004091210.tif 000004
【図４】
0004091210.tif 000005
【図５】
0004091210.tif 000006
【図６】
0004091210.tif 000007
【図７】
0004091210.tif 000008